(57)【要約】【課題】簡易な構造により波形屋根への施工が迅速に行うことができ、かつ取り付けた後に機械的構造に起因する、がたつき、ぐらつき等が発生するおそれのない屋根上取付具を提供する。【解決手段】物品が設置される物品設置部１１と、波形屋根３０の頂部３１ａに取り付ける取付基板部１２とを備えた箱型構造の屋根上取付具１０であって、波形屋根３０の頂部３１ａには、その上面より山座２３を介して上向きボルト２１が突出しており、取付基板部１２にはスライド開口１２ａが形成されており、スライド開口１２ａの両側片１２ｂを波形屋根３０の頂部３１ａと、山座２３との間へスライドさせながら圧入する構造としている。【選択図】図１
2011111744.tif 000002
【特許請求の範囲】
【請求項１】
物品が設置される物品設置部と、波形屋根の頂部に取り付ける取付基板部とを備えた箱型構造の屋根上取付具であって、
上記波形屋根の頂部には、その上面より山座を介して上向きボルトが突出しており、
上記取付基板部にはスライド開口が形成されており、該スライド開口の両側片を上記波形屋根の頂部と、上記山座との間へスライドさせながら圧入する構造としたことを特徴とする屋根上取付具。
【請求項２】
請求項１において、
上記波形屋根の頂部と上記山座との間には防水パッキンが介装されており、
上記上向きボルトの軸部で当て止めして、上記波形屋根への取付時のスライド移動を規制する当て止め片をさらに備えている屋根上取付具。
【発明の詳細な説明】
【技術分野】
【０００１】
本発明は、波形屋根の頂部に取り付けられる屋根上取付具に関する。
【背景技術】
【０００２】
一般に、折板屋根（角波形屋根）、丸波形屋根等の波形屋根の上面に、例えばテレビアンテナや空調機器、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
また、山部と谷部とが交互に連続してなる波形屋根における山部の頂部で、隣接する屋根材同士を重ねてなる重合部を上向きボルトとナットの螺着によって連結、固定した構造のものでは、重合部を屋根の下方より貫通して屋根上に突出された、屋根材連結のための上向きボルトの軸部を、先端が相対向する挟着片で挟み込んで固定する構造とした屋根上取付具も提案されている（例えば、特許文献２参照）。
【０００４】
特許文献２に記載された屋根上取付具は、挟着具の両脚片を横方向に貫通する緊締用ボルト、ナットで両脚片を緊締して、両脚片のそれぞれの下端から対向するように延びた両挟着片を山座の下方に挿入させて上向きボルトに挟着させる構造となっている。より具体的には、挟着片の先端には、湾状の挟持縁（凹部）が形成されており、対向する挟持縁にて防水パッキンを挟持して締め付ける構造となっている。なお、この挟持縁には凹部側に下降する斜面が形成されており、凹部に向けて尖鋭となった挟持縁を防水パッキンの下方に入り込ませながら、防水パッキンを傷つけないように周囲から押圧する構成となっている。
【０００５】
このような構成であるから、挟着片が山座に係止されるとともに、挟持縁が防水パッキンを周囲より押圧して密着した状態となるので、屋根上取付具が外れるおそれはほとんどない。
【先行技術文献】
【特許文献】
【０００６】
【特許文献１】特許第３３６８３７４号
【特許文献２】特開２００９−１５６０１９号
【発明の概要】
【発明が解決しようとする課題】
【０００７】
しかしながら、上記２文献に記載された屋根上取付具は挟持構造であるため、挟持のためのボルトの締め付けが少しでも緩んでしまうと、がたついたり、ぐらついたりするおそれがある。また、これらの屋根上取付具の装着にはボルト止め等の挟持操作が必要であるため、施工に時間を要するおそれもある。さらに、上記いずれの文献のものも複数の部材（挟持金具）を組み合わせて構成しているため、上向きボルト等にしっかりと挟持していても、各部材間にずれが発生するおそれもある。
【０００８】
また、防水パッキンは頂部と山座との間に挟み込まれ上向きボルトで上下より締め付けられることで防水作用を発揮するものであるのに、特許文献２に記載された技術のように防水パッキンを周囲から締め付けてしまえば、防水パッキンが圧縮変形して防水機能が低下してしまうおそれがある。なお、挟持縁の上面を斜面にして、凹部に向けて尖鋭となった挟持縁が防水パッキンの下方に入り込む構成にすることで真横からの直接的な押圧を避ける工夫がなされているが、挟持縁が防水パッキンの下方に入り込むことで、防水パッキンの周端部が挟持縁によって屋根上面から持ち上げられてしまい、その部分に水が浸入する可能性がある。
【０００９】
本発明は、このような事情を考慮して提案されたもので、その目的は、簡易な構造により波形屋根への施工を迅速に行うことができ、かつ取り付けた後に機械的構造に起因する、がたつき、ぐらつき等が発生するおそれのない屋根上取付具を提供することにある。
【００１０】
また、屋根上取付具が山座の下方に配設した防水パッキンを変形したり傷つけたりしないようにすることを第２の目的としている。
【課題を解決するための手段】
【００１１】
上記目的を達成するために、請求項１に記載の屋根上取付具は、物品が設置される物品設置部と、波形屋根の頂部に取り付ける取付基板部とを備えた箱型構造の屋根上取付具であって、波形屋根の頂部には、その上面より山座を介して上向きボルトが突出しており、取付基板部にはスライド開口が形成されており、スライド開口の両側片を波形屋根の頂部と、山座との間へスライドさせながら圧入する構造としたことを特徴とする。
【００１２】
請求項２に記載の屋根上取付具は、波形屋根の頂部と上記山座との間には防水パッキンが介装されており、上向きボルトの軸部で当て止めして、波形屋根への取付時のスライド移動を規制する当て止め片をさらに備えている。
【発明の効果】
【００１３】
請求項１に記載の屋根上取付具によれば、取付基板部に形成したスライド開口の両側片を波形屋根の頂部と、山座との間へスライドさせながら圧入する構造であるため、スライド操作だけで波形屋根に装着することができ、施工を迅速に行える。
【００１４】
また、屋根上取付具は頂部と山座との間に圧入できるようなスライド開口を備えるだけの箱型構造でよいため、挟持構造等の機械的構造を備える必要がなく簡易な構造とすることができ、安価に製造することができる。さらに、そのような機械的構造を備えていないため、機械的構造に起因する、がたつき、ぐらつき等が発生するおそれもなく、屋根上取付具の安定した取り付け状態を維持できる。
【００１５】
請求項２に記載の屋根上取付具によれば、上向きボルトの軸部で当て止めして、波形屋根への取付時のスライド移動を規制する当て止め片を備えているので、スライド移動しすぎてスライド開口の端部が防水パッキンに接触し、押圧することを防止でき、それによって防水パッキンが変形したり傷ついたりしないようにすることを防止できる。
【図面の簡単な説明】
【００１６】
【図１】本発明に係る屋根上取付具の一実施形態の説明図であり、（ａ）は屋根上取付具を波形屋根へ取り付ける前の状態を示した斜視図、（ｂ）は同屋根上取付具の縦断面図である。
【図２】（ａ）は屋根上取付具の波形屋根への取付状態を示した正面図、（ｂ）は同側面図である。
【図３】（ａ）、（ｂ）は、同屋根上取付具の施工手順を示す側面図（（ｂ）は部分断面側面図）である。
【図４】（ａ）、（ｂ）は、同屋根上取付具の施工時の要部の拡大概略平面図である。
【図５】（ａ）、（ｂ）は、屋根上取付具の他例を示す図であり、同屋根上取付具の施工時の要部の拡大概略平面図である。
【発明を実施するための形態】
【００１７】
以下に、本発明に係る屋根上取付具の実施の形態について、図面とともに説明する。
【００１８】
図１は本発明に係る屋根上取付具の一実施形態の説明図であり、図１（ａ）は屋根上取付具を波形屋根へ取り付ける前の状態を示した斜視図、図１（ｂ）は同屋根上取付具の縦断面図である。図２（ａ）は屋根上取付具の波形屋根への取付状態を示した正面図、図２（ｂ）は同側面図である。図３（ａ）、（ｂ）は、同屋根上取付具の施工手順を示す側面図（（ｂ）は部分断面側面図である。
【００１９】
この屋根上取付具１０が取り付けされる波形屋根としては、図例として示した折板屋根３０（角波形屋根）や丸波形屋根等が挙げられる。また、波形屋根の素材としては、金属や合成樹脂、セメント系等のものが適用できる。
【００２０】
図例として示した折板屋根３０は、山部３１と谷部３２とが交互に連続する屋根であって、複数の折板屋根材を側端縁の山部３１の頂部３１ａで重合し、その重合部で上向きボルト２１とナット２２の螺着によって連結した重ね式接合構造となっている。また、ボルト孔３０ａからの水の浸入を防止するために、ナット２２と頂部３１ａとの間に防水パッキン２４が取り付けられ、さらに、ナット２２と防水パッキン２４との間に防水パッキン２４を覆う山座２３が設けてある。
【００２１】
また、折板屋根３０の裏側には、正面視で折板屋根３０と略同形状をなす、ボルト止めのための支持金具３３が取り付けられている。なお、屋根上取付具１０を取り付けるための上向きボルト２１の取付位置は隣接する折板屋根材の接合部に限らず、他の頂部３１ａに支持金具３３を用いて上向きボルト２１を取り付けてもよい。
【００２２】
一方、屋根上取付具１０は、金属板または硬質樹脂板よりなり、折板屋根３０の頂部３１ａより上方に突出した上向きボルト２１の下部に配した山座２３に係止する構造となっている。
【００２３】
より具体的には、屋根上取付具１０は、正面前方が開口された中空の両側壁箱型構造とされ、その箱体の天板部が各種機器・部材類等の物品が設置される物品設置部１１を構成し、底板部が折板屋根３０の頂部３１ａ上面に取り付けるための取付基板部１２を構成している。
【００２４】
また、箱体の取付基板部１２には正面前方の開口１３から、その開口１３に対向する後壁１４へと向かう、終端を湾曲形状としたスライド開口１２ａが形成されており、さらにその後壁１４の高さ方向の略中央には、箱体の内方へ向かって底板部に略水平に突出した板片が形成されている。板片は、図例のように、切り起こしにより形成すれば簡易に設けることができる。この板片は、後述する当て止め片１５を構成している。また、スライド開口１２ａの幅は山座２３の径よりも小さいが、さらに防水パッキン２４の径よりもやや大きくすることが望ましい。
【００２５】
なお、両側壁１６は、上向きボルト２１を収容することが可能な中空部を形成させるために十分な高さを有したものであればよい。
【００２６】
この屋根上取付具１０は、図１および図３に示すように、正面の開口１３を上向きボルト２１に向けて、取付基板部１２のスライド開口１２ａの長手方向が折板屋根３０の頂部３１ａの長手方向に合致するように載せ置き、上向きボルト２１に向けてスライド移動させることで山座２３に装着されるようになっている。
【００２７】
具体的には、折板屋根３０の頂部３１ａと山座２３との間には防水パッキン２４の厚みによるわずかな空隙Ｔ（図３（ａ）参照）が形成されており、その空隙Ｔに、スライド開口１２ａの両側に配された、空隙Ｔの高さ寸法と同じか、やや大きな厚みを有した取付基板部１２の両側片１２ｂをスライドさせながら圧入するようにする。
【００２８】
取付基板部１２の圧入は、屋根上取付具１０を例えばハンマー等で叩いて行えばよく、後壁１４が上向きボルト２１に近づくように、屋根上取付具１０の前方へのスライド移動を進めていく。そして、後壁１４より前方に突出した当て止め片１５の先端が上向きボルト２１の軸部２１ａに接触すると、それ以上スライド操作ができなくなり、この状態で装着が完了する。
【００２９】
ついで、この装着状態について、図４も参照しながら詳細に説明する。
【００３０】
図４は、屋根上取付具１０の施工時の要部の側面視を基準とした拡大概略平面図であり、図４（ａ）は装着途中の状態、図４（ｂ）は装着完了時の状態を示している。なお、この図では、防水パッキン２４をクロスハッチングで図示し、ナット２２（図１等参照）については図示を省略している。
【００３１】
屋根上取付具１０の取付基板部１２は、装着途中の図４（ａ）の状態では、取付基板部１２の両側片１２ｂが折板屋根３０の頂部３１ａと山座２３との間に入り込んでおり、スライド移動をさらに進めた装着完了時の図４（ｂ）の状態では、スライド開口１２ａの終端側にある取付基板部１２の湾曲部１２ｃも頂部３１ａと山座２３との間に入り込んだ状態となる。
【００３２】
こうして、装着完了時では取付基板部１２がスライド開口１２ａの終端の３方向において山座２３に係止されることとなり、しかも圧入によって固定されているので、屋根上取付具１０は、ずれることなくしっかりと頂部３１ａに固着される。
【００３３】
このように、屋根上取付具１０は箱型構造であり、頂部３１ａと山座２３との間に圧入できるようなスライド開口１２ａを備えるだけでよいため、挟持構造等の機械的構造を備える必要がなく簡易な構造とすることができ、安価に製造することができる。さらに、そのような機械的構造を備えていないため、機械的構造に起因する、がたつき、ぐらつき等が発生するはずはなく、屋根上取付具１０の安定した取り付け状態を維持できる。しかも、箱体のスライド操作だけで装着できるので施工も迅速に行える。
【００３４】
また、当て止め片１５は上向きボルト２１の軸部２１ａに当たってスライド移動を規制するものであり、図４（ａ）に示すように、装着途中の状態における当て止め片１５の先端と、上向きボルト２１の軸部２１ａとの間隔Ｌ１は、取付基板部１２の湾曲部１２ｃの中央と、防水パッキン２４の後壁１４（図１等参照）側の端部との間隔Ｌ２よりも小さくなるように、当て止め片１５の長さ寸法が調節されている。
【００３５】
したがって、装着完了時の状態では、図４（ｂ）に示すように、山座２３の下方において防水パッキン２４の周縁と、湾曲部１２ｃとの間に隙間Ｓ１が形成され、さらにスライド開口１２ａの幅が防水パッキン２４の径よりも大きいため、防水パッキン２４の周縁と、両側片１２ｂとの間にも隙間Ｓ２が形成される。
【００３６】
このように、屋根上取付具１０は、装着途中および装着完了時において、取付基板部１２が防水パッキン２４に接触しないような構造であるため、防水パッキン２４が変形したり傷ついたりすることはなく、防水パッキン２４が機能低下することを防止できる。なお、防水パッキン２４が変形、損傷しないように、取付基板部１２のスライド開口１２ａ側の端部が防水パッキン２４とわずかに接触する程度のものであってもよい。
【００３７】
また、当て止め片１５の先端を、上向きボルト２１の軸部２１ａのネジ溝に入り込んで係止する構造とすれば折板屋根３０への取付強度もさらに向上する。
【００３８】
以上の実施形態では、当て止め片１５として上向きボルト２１が接触する先端の当て止め部位を直線的に形成したものを例示したが、図５の他例に示すように、上向きボルト２１によって所定位置に固定されるようにした当て止め片１５´であってもよい。なお、図５（ａ）、（ｂ）は図４（ａ）、（ｂ）に対応して示した図であり、共通する部位については図４と同一の符号を付している。間隔Ｌ１、Ｌ２の関係についても、図４と同様とする。
【００３９】
図５に示した当て止め片１５´は、図１に示した当て止め片１５よりも、先端までが長く形成されており、その延設された先端部１５ａには、溝幅寸法を上向きボルト２１の径寸法と略同一とした、屋根上取付具１０が上向きボルト２１に対して適切な位置に誘導され、装着固定されるようにするための固定凹所１５ｂが形成されている。この固定凹所１５ｂの底部１５ｃがスライド移動を規制する当て止め部を構成している。また、この固定凹所１５ｂの開口（入口）は面取り部１５ｄによって広げられた誘い開口となっており、固定凹所１５ｂが上向きボルト２１へ嵌りやすくなっている。
【００４０】
このように固定凹所１５ｂを有した当て止め片１５´によれば、屋根上取付具１０の装着完了後に、防水パッキン２４の周縁と、両側片１２ｂとの間にも隙間Ｓ２を確実に確保することができるので、屋根上取付具１０の取付基板部１２が防水パッキン２４に接触することはない。なお、屋根上取付具１０の装着誘導時（スライド移動時）における防水パッキン２４との接触をも回避するために、先端部１５ａ（つまり固定凹所１５ｂ）をさらに深く形成してもよい。
【００４１】
以上の実施形態では、前方のみを開口した箱体の例を示したが後方も開口し、さらにスライド開口も前後に通じるようにした、いわゆるＣ型チャンネルのような形状としてもよい。その場合では、屋根上取付具の装着による防水パッキン２４の変形を防止するために、側壁１６のいずれかより突出させた当て止め片を備えることが望ましい。
【符号の説明】
【００４２】
１０      屋根上取付具
１１      物品設置部
１２      取付基板部
１２ａ      スライド開口
１２ｂ      両側片
１２ｃ      湾曲部
１３      開口
１４      後壁
１５、１５´      当て止め片
１５ａ      先端部
１５ｂ      固定凹所
２１      上向きボルト
２２      ナット
２３      山座
２４      防水パッキン
３０      折板屋根（波形屋根）
３１      山部
３１ａ      頂部
【図１】
2011111744.tif 000003
【図２】
2011111744.tif 000004
【図３】
2011111744.tif 000005
【図４】
2011111744.tif 000006
【図５】
2011111744.tif 000007
【手続補正書】
【提出日】平成22年4月14日(2010.4.14)
【手続補正１】
【補正対象書類名】明細書
【補正対象項目名】００１８
【補正方法】変更
【補正の内容】
【００１８】
図１は本発明に係る屋根上取付具の一実施形態の説明図であり、図１（ａ）は屋根上取付具を波形屋根へ取り付ける前の状態を示した斜視図、図１（ｂ）は同屋根上取付具の縦断面図である。図２（ａ）は屋根上取付具の波形屋根への取付状態を示した正面図、図２（ｂ）は同側面図である。図３（ａ）、（ｂ）は、同屋根上取付具の施工手順を示す側面図（（ｂ）は部分断面側面図）である。